(57)【要約】【課題】  冷房運転や除湿運転に応じて、溜まったドレン水の処理を間違いなく行えるようにする。【解決手段】  ドレンホース４５の途中に、切替器４６が設けられる。切替器４６の切替位置により、滴下皿４２に通じる内部流路と、排水ホース４７に通じる外部流路とが切り替えられる。冷房運転が選択されたとき、内部流路に切り替えられ、ドレン水は凝縮器３によって蒸発する。除湿運転が選択されたとき、外部流路に切り替えられ、ドレン水は外部に排出される。切替器４６の切替位置を検出する切替検出器５５が設けられ、選択された運転と切り替えられた流路が対応していないとき、切替器４６の切替位置が間違っていることを報知する。【選択図】  図１
2006308190.tif 000002
【特許請求の範囲】
【請求項１】
キャビネットに圧縮機、凝縮器および蒸発器が内装され、冷凍サイクル運転によって発生したドレン水を溜める貯水器と、該貯水器からドレン水を排出する排水手段と、ドレン水をキャビネット内で循環させる内部流路と、ドレン水をキャビネット外に排出する外部流路と、前記流路を切り替える切替器と、該切替器の切替状態を検出する切替検出器と、ドレン水を循環させて内部処理するための循環モードおよびドレン水を外部に排出する排出モードとを選択的に実行する制御装置とを備え、該制御装置は、検出された切替状態を報知することを特徴とする一体型空気調和機。
【請求項２】
制御装置は、検出された切替状態が選択されたモードに対応していないとき、該モードの実行を規制することを特徴とする請求項１記載の一体型空気調和機。
【請求項３】
制御装置は、選択されたモードの実行の規制として、排水手段の作動を禁止する、あるいは貯水器に所定量ドレン水が溜まるまで排水手段を作動させることを特徴とする請求項２記載の一体型空気調和機。
【請求項４】
排水手段を強制的に作動させる排水ボタンが設けられ、制御装置は、前記排水ボタンが操作されたとき、外部流路に切り替わっていることを検知すると、前記排水手段を作動させることを特徴とする請求項１〜３のいずれかに記載の一体型空気調和機。
【請求項５】
キャビネットに圧縮機、凝縮器および蒸発器が内装され、冷凍サイクル運転によって発生したドレン水を溜める貯水器と、該貯水器からドレン水を排出する排水手段と、ドレン水をキャビネット内で循環させる内部流路と、ドレン水をキャビネット外に排出する外部流路と、前記流路を切り替える切替器と、ドレン水を循環させて内部処理するための循環モードおよびドレン水を外部に排出する排出モードのうち選択されたモードに応じて前記切替器を作動させる制御装置とを備えたことを特徴とする一体型空気調和機。
【請求項６】
排水手段を強制的に作動させる排水ボタンが設けられ、制御装置は、前記排水ボタンが操作されたとき、切替器を作動させて外部経路に切り替えることを特徴とする請求項５記載の一体型空気調和機。
【請求項７】
循環モードは冷房運転のときに実行され、排出モードは除湿運転のときに実行されることを特徴とする請求項１〜６のいずれかに記載の一体型空気調和機。
【発明の詳細な説明】
【技術分野】
【０００１】
本発明は、冷房運転、除湿運転等の冷凍サイクル運転により発生したドレン水を溜め、このドレン水を処理する一体型空気調和機に関する。
【背景技術】
【０００２】
一般的に、一体型空気調和機では、本体内部に圧縮機、蒸発器、凝縮器、蒸発器用ファン、凝縮器用ファンが組み込まれている。冷房運転時に、室内の空気を取り込み、蒸発器によって室内の空気を冷却したときにドレン水が発生する。
【０００３】
このドレン水は、例えば特許文献１に記載されているように、貯水器に溜められ、貯水器の排水口から排出される。また、特許文献２に記載されているように、ポンプによって貯水器からドレン水を汲み上げ、タンクに溜める。このタンクをキャビネットから取り出して、ドレン水を捨てる。あるいは、ポンプを使って、ドレン水を凝縮器の上部の導き、凝縮器にかけ流してドレン水を蒸発させる。
【特許文献１】特開平１−２６９８４２号公報
【特許文献２】特開平１１−１０８３９０号公報
【発明の開示】
【発明が解決しようとする課題】
【０００４】
上記の一体型空気調和機においては、貯水器に溜まったドレン水を処理するために、内部で蒸発させるか、あるいは外部に排水するかのいずれかの方法が行われる。ところで、冷房運転の場合には、室内の乾燥を防ぐために、内部で蒸発させるのが好ましい。また、除湿運転の場合には、内部で蒸発させると、湿気が再び室内に広がるので、外部に排水するのが好ましい。すなわち、冷房運転や除湿運転を選択可能な一体型空気調和機では、選択された運転に応じてドレン水の処理を切り替える必要がある。このとき、ユーザが運転の選択やドレン水処理の切り替える操作を行うが、この操作を間違えたり、ドレン水処理の切り替えを忘れると、溜まったドレン水を排出できなくなってしまうおそれがある。
【０００５】
そこで、本発明は、上記に鑑み、選択された運転に応じたドレン水の処理を間違いなく行えるようにして、確実に貯水器からドレン水を排出できる一体型空気調和機の提供を目的とする。
【課題を解決するための手段】
【０００６】
本発明は、キャビネットに圧縮機、凝縮器および蒸発器が内装され、冷凍サイクル運転によって発生したドレン水を溜める貯水器と、該貯水器からドレン水を排出する排水手段と、ドレン水をキャビネット内で循環させる内部流路と、ドレン水をキャビネット外に排出する外部流路と、前記流路を切り替える切替器と、該切替器の切替状態を検出する切替検出器と、ドレン水を循環させて内部処理するための循環モードおよびドレン水を外部に排出する排出モードとを選択的に実行する制御装置とを備え、該制御装置は、検出された切替状態を報知するものである。なお、循環モードは、冷房運転のときに実行され、排出モードは除湿運転のときに実行されるものとする。
【０００７】
切替器の切替状態は、例えば切替器の切替位置であったり、流路の開閉状態であり、現在の流路がどのようになっているのかがわかる。これによって、実行したい運転を選択したとき、現在の流路が選択された運転に対応した流路であるか否かを判断できる。したがって、ユーザに対して、その流路が選択された運転に対応していないことを気付かせることができる。対応する流路に切り替えることによって、間違いなく所望の運転が実行される。
【０００８】
そして、制御装置は、検出された切替状態が選択されたモードに対応していないとき、該モードの実行を規制する。すなわち、選択されたモードの実行の規制として、排水手段の作動を禁止する、あるいは貯水器に所定量ドレン水が溜まるまで排水手段を作動させる。
【０００９】
このように選択モードの実行を規制することにより、ドレン水が貯水器から排出されて、ユーザが所望しないドレン水の処理が行われるのを防ぐことができる。したがって、除湿運転を行っているにもかかわらず、ドレン水が内部処理されて蒸発され、室内の湿度が下がらないといった異常運転をなくせる。
【００１０】
また、排水手段を強制的に作動させる排水ボタンが設けられ、制御装置は、前記排水ボタンが操作されたとき、外部流路に切り替わっていることを検知すると、前記排水手段を作動させる。すなわち、強制的に排水したい場合、内部流路になっていることが検知されると、排水手段の作動が禁止される。これによって、間違った処理が行われるのを防げる。
【００１１】
ここで、切替器が内部流路と外部流路とを自動的に切り替えるものとする。制御装置は、循環モードおよび排出モードのうち選択されたモードに応じて前記切替器を作動させる。また、制御装置は、排水ボタンが操作されたとき、切替器を作動させて外部経路に切り替える。したがって、選択されたモードに応じた流路に間違うことなく切り替えることができ、ユーザの操作ミスによる異常運転を防止できる。
【発明の効果】
【００１２】
本発明によると、選択された運転に対して、ドレン水の排出先の流路が間違っていると、ユーザに報知されたり、運転の実行が規制される。したがって、選択された運転に対応していない流路に切り替わったまま運転が行われることを防止でき、異常運転を防ぐことができる。
【発明を実施するための最良の形態】
【００１３】
本実施形態の一体型空気調和機では、図１、２に示すように、キャビネット１に、圧縮機２、凝縮器３、蒸発器４および絞り機構（図示せず）が内装され、これらによって冷凍サイクルが形成される。そして、空気調和機は、冷風を発生させて、室内を冷房する冷房運転を行う。そのため、空気調和機は、蒸発器４に対する送風ファン５と、凝縮器３に対する排気ファン６と、排気用のダクト７と、冷房運転によって発生したドレン水を処理するためのポンプ８とを備えている。
【００１４】
キャビネット１は、図３、４に示すように、前面パネル１０、左右一対の側板１１、背板１２によって囲まれた構造とされる。そして、キャビネット１は、上側の冷房室１３と下側の排熱室１４とに区画されている。冷房室１３と排熱室１４とは、仕切り板１５によって仕切られ、上下の空間は断熱されている。
【００１５】
冷房室１３には、蒸発器４および送風ファン５が収容され、排熱室１４には、圧縮機２、凝縮器３、排気ファン６、ポンプ８が収容されている。冷房室１３では、前側に蒸発器４が配置され、背面側にシロッコファンからなる送風ファン５が配置されている。排熱室１４では、前側に凝縮器３が配置され、背面側にシロッコファンからなる排気ファン６が配置されている。凝縮器３と排気ファン６との間に、圧縮機２とポンプ８とが左右にそれぞれ配置されている。凝縮器３は、蒸発器４の下方に位置し、蒸発器４と凝縮器３とは上下に並んでいる。
【００１６】
キャビネット１の前側は開口されており、この開口が前面パネル１０によって覆われている。蒸発器４および凝縮器３は、開口に面しており、前面パネル１０と蒸発器４および凝縮器３との間には間隙１６が形成される。この間隙１６に、フィルタ１７が着脱可能に装着されている。
【００１７】
前面パネル１０に、前面吸込口２０と吹出口２１とが形成されている。また、前面パネル１０と側板１１との間に、側面吸込口２２が形成されている。前面吸込口２０は、前面パネル１０の中央に位置して、縦方向に配されている。前面吸込口２０および側面吸込口２２は、間隙１６に連通している。吹出口２１は、前面パネル１０の上部に位置し、水平方向から斜め上方向に向かって開口している。吹出口２１には、ルーバ２３が設けられ、ルーバ２３はモータによって揺動される。吹出口２１は冷房室１３に連通しており、前面吸込口２０および側面吸込口２２から蒸発器４を経て吹出口２１に至る通風路が形成される。これによって、キャビネット１の前面からの吸い込みおよび前方への吹き出しを実現できる。
【００１８】
排熱室１４は、冷房室１３よりも背面側に突出しており、排熱室１４の上面に排気口２４が形成されている。排気口２４に、蛇腹状のダクト７の一端が取り付けられている。ダクト７の他端は、壁２５の開口部に取り付けられ、排熱室１４がダクト７を介して室外と連通する。したがって、排熱室１４では、前面吸込口２０および側面吸込口２２から凝縮器３を経て排気口２４に至る通風路が形成される。この通風路は、ダクト７に連通して、室外へと通じている。
【００１９】
ダクト７の一端は、排気口２４に対して回転自在かつ着脱自在とされる。すなわち、排気ファン６のケーシング２６に形成された排気口２４に、ファンガード２７が回転自在に嵌め込まれている。ダクト７の一端には、ダクトコネクタ２８が設けられている。このダクトコネクタ２８が、ファンガード２７に着脱自在に装着されるが、ダクトコネクタ２８はファンガード２７に対して回転しないように取り付けられている。ダクト７とファンガード２７とが一体的に回転することにより、ダクト７とキャビネット１とは相対的に回転する。
【００２０】
ダクト７の他端は、壁２５の開口部に着脱可能に取り付けられている。すなわち、開口部にある窓３０を利用して、ダクト７を取り付けるための取付パネル３１が窓枠に固定される。窓３０は、上げ下げ窓、引き違い窓のいずれでもよく、取付パネル３１は、窓３０の大きさに合わせて長さを可変できる。
【００２１】
取付パネル３１の取付口３２にダクトホルダ３３が嵌め込まれ、ダクトホルダ３３に、ダクト７の他端に設けられたダクトコネクタ３４が着脱可能に装着される。ダクトコネクタ３４がダクトホルダ３３に装着されることにより、ダクトホルダ３３は取付パネル３１から抜けないように取り付けられる。ダクトホルダ３３の室外側には、雨が入り込まないように、雨除け３５が取り付けられている。したがって、ダクトコネクタ３４をダクトホルダ３３から外すことにより、ダクト７を窓３０から取り外すことができ、さらにダクトホルダ３３も取付パネル３１から取り外すことができる。ここで、ダクト７を外したとき、取付パネル３１の取付口３２が開いたままになるので、取付口３２を塞ぐカバーが取付パネル３１に設けられている。なお、図１中、３６は換気孔であり、換気扇が取り付け可能とされる。
【００２２】
また、キャビネット１の底面には、車輪４０が取り付けられている。したがって、本空気調和機は移動可能とされ、伸縮可能なダクト７を付けたまま室内で移動させることができる。さらに、ダクト７を外すことにより、空気調和機を他の室内に持ち運ぶことができ、任意の場所で使用することができる。
【００２３】
ところで、蒸発器４では、室内空気の熱交換を行うとき、空気中の水分が結露して、ドレン水が発生する。蒸発器４の下方に、ドレン水を受けるドレンパン４１が設けられ、ドレンパン４１の下方に、滴下皿４２が設けられている。ドレンパン４１は、滴下皿４２内に収容され、滴下皿４２は、キャビネット１に取り付けられている。ドレンパン４１に滴り落ちたドレン水は、滴下皿４２に流れ落ち、さらに滴下皿４２から凝縮器３に流れ落ちる。ドレン水は、凝縮器３を通過するときに、凝縮器３を冷却しながら蒸発する。凝縮器３の下方には、ドレン受皿４３が設けられ、凝縮器３を伝って流れてきたドレン水がドレン受皿４３に溜まる。ドレン受皿４３は、排熱室１４の底に載置されており、ドレン受皿４３には、ドレン抜き孔４４が形成され、栓がされている。栓を抜くと、ドレン水が排出される。
【００２４】
そして、ドレン受皿４３に溜まったドレン水を循環させて内部処理を行うため、ポンプ８によってドレン水を再び凝縮器３に導き、蒸発させている。ポンプ８は、ドレン受皿４３内に設置され、ポンプ８にドレンホース４５が接続され、ドレンホース４４が滴下皿４２に接続される。なお、ポンプ８が排水手段とされ、ドレン受皿４３が貯水器とされ、ドレン受皿４３と滴下皿４２とをつなぐ内部流路がドレンホース４５によって形成される。
【００２５】
ポンプ８は、ドレン水を吸い込んで滴下皿４２に送り込む。ドレン水は、滴下皿４２から流れ落ちて、凝縮器３の熱によって蒸発する。このように、ドレン水を循環させることによって、ドレン水を外部に排水することなく、内部処理ができる。
【００２６】
そして、ドレン受皿４３からのドレン水をキャビネット１の外部に排出するための外部流路が形成され、外部流路はドレンホース４５の途中から分岐している。このドレンホース４５中の分岐部に、ドレン水の通る流路を内部流路にするか外部流路にするかの切り替えを行う切替器４６が設けられている。切替器４６は、キャビネット１の外部に突出しており、この切替器４６に排水ホース４７が接続され、切替器４６は外部流路の一部を構成する。
【００２７】
この空気調和機は、図５に示すように、圧縮機２、送風ファン５、排気ファン６、ポンプ８を駆動制御する制御装置５０を備えている。マイコンからなる制御装置５０は、キャビネット１に内装され、リモコン５１あるいはキャビネットに設けられた操作スイッチからの操作信号に応じて、冷房運転、除湿運転、換気運転といった各種運転を実行する。また、前面パネル１０に、ＬＥＤ等からなる表示器５２が設けられており、制御装置５０は、各種運転に応じて表示器５２の点灯を制御する。さらに、ドレン受皿４３に水位検出器５３が設けられ、制御装置５０は、溜まったドレン水の量に応じてポンプ８の動作および各運転を制御し、ドレン水が満水になったときの警告として表示器５２の点灯あるいは点滅といった制御を行う。
【００２８】
また、ポンプ８を作動させる排水ボタン５４がキャビネット１に設けられている。排水ボタン５４を操作すると、一定時間だけポンプ８が強制的に作動する。なお、冷房運転を開始するための既存の運転ボタンを共用して、排水ボタン５４としてもよい。この場合、運転を開始するときは運転ボタンを１回押す。排水ボタン５４として機能させるときは、長押しする、複数回連続で押すといったように、通常とは異なる操作する。制御装置５０は、このような操作がされたとき、ポンプ８を作動させる。
【００２９】
さらに、切替器４６の切替状態を検出する切替検出器５５が設けられている。切替検出器５５は、切替器４６の切替位置を検出する。制御装置５０は、検出された切替状態から現在の流路が内部流路であるのか外部流路であるのかを判断する。そして、選択された運転に対してドレン水の流路が適切であるか判断して、流路が選択された運転に合っていないとき、ユーザに報知したり、運転の実行を規制する。
【００３０】
冷房運転では、室内空気が、送風ファン５の駆動によって前面吸込口２０および側面吸込口２２から吸い込まれ、前面パネル１０の間隙１６から蒸発器４を通り抜ける。このとき、吸い込まれた空気は、蒸発器４によって冷却され、冷風となる。冷風は、吹出口２１から室内に吹き出される。
【００３１】
一方、排気ファン６の駆動によって、室内空気が、前面吸込口２０および側面吸込口２２から吸い込まれ、前面パネル１０の間隙１６から凝縮器３を通り抜ける。このとき、吸い込まれた空気は、凝縮器３によって暖められ、温風となる。温風は、排気口２４からダクト７を通り、室外に排出される。
【００３２】
冷房運転により蒸発器４から発生したドレン水は、流れ落ちてドレン受皿４３に溜まる。ドレン水が所定水位まで溜まると、ポンプ８が作動され、ドレン受皿４３のドレン水を汲み上げて、内部流路を通じて滴下皿４２に導く。汲み上げられたドレン水は、凝縮器３の表面に沿って流れ落ち、蒸発する。蒸発しなかったドレン水は、ドレン受皿４３に溜まり、再び汲み上げられ、蒸発するまで循環される。このようにして、ドレン水の内部処理が行われる。
【００３３】
除湿運転では、冷房運転と同様に圧縮機２、送風ファン５、排気ファン６、ポンプ８が駆動制御される。ドレン受皿４３に溜まったドレン水は循環されず、外部流路を流れて、切替器４６から排水ホース４７を通り、外部に排出される。この場合、ダクト７を外しておく。排熱室１４を通って除湿された空気は、排気口２４から室内に排出される。そのため、室内の温度を変えずに除湿できる。
【００３４】
換気運転では、圧縮機２、送風ファン５およびポンプ８は停止し、排気ファン６のみが駆動される。キャビネット１の前方から吸い込まれた室内の空気は、排熱室１４からダクト７を経て室外に排出される。このとき、壁２５の換気孔３６から室外の空気が入り込み、室内の換気が行われる。
【００３５】
ここで、切替器４６を図６〜１１に示す。切替器４６は、内部流路に介装されたドレンジョイント６０と、ドレンジョイント６０に着脱自在かつ回動自在に内装されたドレンコック６１とからなる。ドレンコック６１に、ドレン水に含まれるごみ等の不純物を除去するストレーナ６２が設けられている。
【００３６】
ドレンジョイント６０は、図８〜１０に示すように、一端が閉塞された円筒状の保持部６３を有し、保持部６３の他端にフランジ６４が形成される。そして、保持部６３の一端側に一対の接続口６５、６６が突設され、上流側の接続口６５に、ポンプ８からのドレンホース４５が接続され、下流側の接続口６６に、滴下皿４２につながったドレンホース４５が接続される。これによって、ドレンジョイント６０は内部流路の一部を構成する。
【００３７】
保持部６３の側面には、取付片６７が一体的に形成される。取付片６７がキャビネット１にねじ等によって取り付けられ、ドレンジョイント６０がキャビネット１に固定される。そして、フランジ６４は、キャビネット１から外部に臨むように配置される。図１１に示すように、フランジ６４には、中心軸線を挟んで対称に一対の案内溝６８が形成されている。案内溝６８は、円弧状とされ、ドレンコック６１の回動を案内する。
【００３８】
ドレンコック６１は、図８〜１０に示すように、円筒状の弁部７０を有し、内部に貫通孔７１が形成されている。弁部７０の一端側がドレンジョイント６０の保持部６３に嵌め込まれ、回動可能とされる。弁部７０の他端側は、一端側よりも小径とされ、排水ホース４７が接続されたり、あるいは栓がされる。排水ホース４７は貫通孔７１を通じて内部流路と連通され、ドレンコック６１は外部流路の一部を構成する。
【００３９】
弁部７０の中間部分にフランジ７２が形成され、フランジ７２の外面側には、つまみ７３が突設されている。フランジ７２の内面側には、一対のフック７４がＬ字状に形成され、フック７４は、ドレンジョイント６０の案内溝６８に挿入されて係合される。これによって、ドレンコック６１は、ドレンジョイント６０に回動自在に保持されるとともに着脱可能となる。また、案内溝６８によって、ドレンコック６１の回動角度が規制され、その回動角度は約９０度とされる。
【００４０】
ドレンコック６１の弁部７０の一端側において、周壁の一部が切り欠かれて、切欠部７５が形成され、残された周壁が突出した形状とされる。この周壁がドレンジョイント６０の保持部６３の内周面に沿って摺動し、下流側の接続口６６を塞ぐ。
【００４１】
すなわち、ドレンコック６１は、循環位置と排水位置との間で回動される。排水位置にあるとき、ドレンコック６１の弁部７０は下流側の接続口６６を塞ぎ、ドレンジョイント６０の下流側の接続口６５が弁部７０内を通る外部流路に連通される。循環位置にあるとき、両接続口６５、６６は弁部７０により塞がれず、弁部７０の切欠部７５を通じて両接続口６５、６６が連通される。
【００４２】
通常、一体型空気調和機を使用するとき、ドレンコック６１には排水ホース４７が接続されておらず、代わりに栓がされている。したがって、ドレンコック６１を循環位置に切り替えたとき、ドレン水は弁部７０の貫通孔７１に入り込むが、外部に漏れることはない。そして、除湿運転を行うときやドレン受皿４３から強制的に排水するときに、栓が外されて、排水ホース４７が接続される。なお、排水ホース４７を常時接続しておいてもよい。
【００４３】
ここで、切替器４６の切替状態を検出するために設けられた切替検出器５５は、回動されるドレンコック６１の切替位置を検出する。そのため、切替検出器５５として、リミットスイッチ、光スイッチ等が用いられ、キャビネット１内に設置される。
【００４４】
ストレーナ６２は、ドレンコック６１の一端側に配され、切欠部７５を含む開口を覆うように設けられている。ストレーナ６２は、合成樹脂製の網とされ、ドレンコック６１にインサート成形される。したがって、ドレンコック６１をドレンジョイント６０から取り外すことにより、ストレーナ６２をキャビネット１から取り出すことができる。
【００４５】
上記の一体型空気調和機において、冷房運転が選択されると、制御装置５０は、切替検出器５５の出力によりドレンコック６０の切替位置を確認して、表示器５２等によって現在位置を表示する。ドレンコック６０の切替位置が循環位置にあるとき、冷房運転に対応しているので、制御装置５０は、冷房運転を開始するように圧縮機２、ポンプ８等を駆動する。なお、ドレンコック６１の貫通孔７１には栓がされているものとする。
【００４６】
ドレンコック６１の切替位置が排水位置にあるとき、冷房運転には対応していないので、制御装置５０は、間違った切替位置にあることをユーザに音や光等によって報知するとともに、運転の実行を規制する。すなわち、圧縮機２、ポンプ８等の駆動を禁止して、全面的に運転を規制する。あるいは、圧縮機２やファン５、６を駆動するが、ポンプ８の駆動を禁止して、部分的に運転を規制する。そして、ドレン受皿４３にドレン水が溜まって満水になったとき、冷房運転を停止する。
【００４７】
また、除湿運転が選択されたときも同様に、制御装置５０は、ドレンコック６１の切替位置を確認する。ドレンコック６１の切替位置が排水位置にあるとき、除湿運転に対応しているので、除湿運転が開始される。このとき、ドレンコック６１には排水ホース４７が接続されている。
【００４８】
ドレンコック６１の切替位置が循環位置にあるとき、除湿運転には対応していないので、制御装置５０は、間違った切替位置にあることをユーザに音や光等によって報知するとともに、運転の実行を規制する。すなわち、圧縮機２、ポンプ８等の駆動を禁止する。あるいは、圧縮機２やファン５、６を駆動するが、ポンプ８の駆動を禁止して、ドレン受皿４３にドレン水を溜める。そして、ドレン受皿４３が満水になったとき、除湿運転を停止する。
【００４９】
また、排水ボタン５４が操作されたときも、同様に、制御装置５０は、ドレンコック６１の切替位置を確認する。ドレンコック６１の切替位置が排水位置にあるとき、ポンプ８が駆動され、ドレン水が排出される。ドレンコック６１の切替位置が循環位置にあるとき、制御装置５０は、間違った切替位置にあることをユーザに音や光等によって報知するとともに、運転の実行を規制する。すなわち、ポンプ８の駆動を禁止する。
【００５０】
したがって、選択された運転とドレンコック６１の切替位置とが対応していない場合、その運転が規制されるので、ドレン水が意図しない流路に流れて、運転に支障を来たすことを防げる。例えば、冷房運転のときにドレンコック６１の切り替えを間違え、しかも栓を閉め忘れたような場合であっても、ドレン水がキャビネット１の外部に排出されることを防止できる。
【００５１】
運転が正常に開始されると、ドレン水が発生して、ドレン受皿４３に溜まる。ポンプ８の駆動によりドレン受皿４３に溜まったドレン水が汲み上げられ、ドレン水はドレンホース４５を通って切替器４６を通過する。冷房運転の場合、滴下皿４２に送られ、凝縮器３にかけられる。除湿運転の場合、ドレンコック６１から排水ホース４７に流れ、外部に排水される。このとき、ドレン受皿４３に溜まっているごみ等の不純物もドレン水とともにドレンホース４５内を流れる。ドレン水はストレーナ６２を通過するが、不純物はストレーナ６２に捕捉され、溜まっていく。運転の終了後、ユーザは、ドレンコック６１をドレンジョイント６０から抜き出し、ストレーナ６２を洗浄する。
【００５２】
このように、ストレーナ６２を容易に洗浄することができるため、定期的に洗浄するようにすれば、ドレン水に含まれる不純物を除去でき、内部流路を使ってドレン水を循環させる場合に、不純物による流路の詰まりや流量の低下を防止できる。そして、不純物を除去したドレン水を凝縮器３に流すことができるので、ドレン水が蒸発しても不純物が凝縮器３の表面に残留することがない。したがって、長期間ドレン水の内部処理を行っても、凝縮器３の熱交換能力が低下することを防げる。
【００５３】
上記の切替器４６は、手動で操作するものであるが、電磁弁を用いて、流路を自動的に切り替えるようにしてもよい。電磁弁は、２方向切替弁とされ、ポンプ８からの上流側ドレンホース４５と滴下皿４２に通じる下流側ドレンホース４５と外部に通じる排水ホース４７がそれぞれ接続される。電磁弁により、上流側の接続口６５と下流側の接続口６６とが連通されると、内部流路が形成され、上流側の接続口６５と排水ホース４７とが連通されると、外部流路が形成される。なお、電磁弁を用いる場合、排水ホース４７は常時接続されている。
【００５４】
そして、制御装置５０によって電磁弁の切り替えが制御される。すなわち、制御装置５０は、選択された運転に応じて電磁弁を作動させ、冷房運転のときには、ポンプ８からの流路を内部流路側に切り替え、除湿運転あるいは排水ボタン５４が操作されたときには、外部流路側に切り替える。これによって、ユーザは運転に応じて流路を切り替える操作をする必要がなくなり、空気調和機としての操作性の向上となる。  
【００５５】
なお、本発明は、上記実施形態に限定されるものではなく、本発明の範囲内で上記実施形態に多くの修正および変更を加え得ることは勿論である。一体型空気調和機だけでなく、分離型空気調和機に適用してもよい。さらに、除湿機、冷蔵庫といった運転により水が発生する電気機器に適用してもよい。
【００５６】
ドレン水を循環させて内部処理するための循環モードでは、冷房運転時にドレン水を凝縮器によって蒸発させることにより実行されるが、これ以外にドレン水をヒータ等の加熱装置に導いて、直接蒸発させたり、超音波振動子を用いて、ドレン水を霧散させてもよい。すなわち、一体型空気調和機が暖房運転も行う場合、暖房運転時に上記の循環モードが実行される。
【図面の簡単な説明】
【００５７】
【図１】本発明の一体型空気調和機の全体構成図
【図２】空気調和機の排熱室内部の配置を示す図
【図３】前面側から見た空気調和機の外観斜視図
【図４】背面側から見た空気調和機の外観斜視図
【図５】空気調和機の制御ブロック図
【図６】切替器を示す図
【図７】切替器の断面図
【図８】ドレンコックおよびドレンジョイントの平面図
【図９】ドレンコックおよびドレンジョイントの側面図
【図１０】ドレンコックの正面図
【図１１】ドレンジョイントの正面図
【符号の説明】
【００５８】
２    圧縮機
３    凝縮器
４    蒸発器
５    送風ファン
６    排気ファン
７    ダクト
８    ポンプ
４５    ドレンホース
４６    切替器
４７    排水ホース
５０    制御装置
５４    排水ボタン
５５    切替検出器
６０    ドレンジョイント
６１    ドレンコック
６２    ストレーナ
【図１】
2006308190.tif 000003
【図２】
2006308190.tif 000004
【図３】
2006308190.tif 000005
【図４】
2006308190.tif 000006
【図５】
2006308190.tif 000007
【図６】
2006308190.tif 000008
【図７】
2006308190.tif 000009
【図８】
2006308190.tif 000010
【図９】
2006308190.tif 000011
【図１０】
2006308190.tif 000012
【図１１】
2006308190.tif 000013